(57)【要約】医薬品を非経口流体に加えるための、無針コネクタが提供される。無針コネクタは、コネクタ（１）を備え、コネクタ（１）は、注射器（５）を受けるようになされ、ポートを穿刺パッドの定位置に封止するための逆止め弁を有する。逆止め弁は、定位置に保持され逆止め弁材料の引張応力によって付勢され閉じられる、弾性ディスク（１３）を備える。雄ルアーコネクタ（１４）を有する注射器またはその他の装置が、コネクタと係合し、流体圧力が逆止め弁に加えられると、弾性ディスクが変形され、それによって、医薬品が、コネクタを通りチュービング内に、したがって患者に流れることが可能になる。
2008517707.tif 000002
【特許請求の範囲】
【請求項１】
（ａ）上端部に弁座を有する上部空洞、および下部空洞を有する、円筒形本体と、
（ｂ）前記空洞間に確実に取り付けられる弁棒と、
（ｃ）前記弁棒に取り付けられ、前記弁座に対して付勢される弾性ディスクと
を備え、
（ｄ）前記弾性ディスクが、第１のポートを通って前記本体内に入る流体の力によって前記弁座から変位される、医療用コネクタ。
【請求項２】
前記本体の前記上端部上に、雌ルアー接続部と係合させるための雄ルアー接続部をさらに備える、請求項１に記載の医療用コネクタ。
【請求項３】
注射器から静脈注射用流体に医薬品を加えるためのコネクタにおいて、
（ａ）中空の円筒形本体であって、
（ｉ）医薬品を前記静脈注射用流体に加えるための、一方の端部上の第１のポート、
（ｉｉ）患者の静脈内に挿入されるカテーテルに接続するための、もう一方の端部上の第２のポート、および
（ｉｉｉ）静脈注射用流体供給源に取り付けるための、前記第１および第２のポートの中間にある第３のポートを有する、円筒形本体と、
（ｂ）前記第１のポートの開いた端部上のルアー接続部と、
（ｃ）前記第１のポート内に固定され、弁座を一方の端部に有する弁ハウジングと、
（ｄ）栓を有する前記ハウジング内に取り付けられる弁棒と、
（ｅ）前記弁棒に取り付けられ、前記弁座に対して付勢される弾性ディスクとを備え、
（ｆ）前記弾性ディスクが、前記第１のポートを通って前記本体内に入る流体の力によって前記弁座から変位される、コネクタ。
【請求項４】
注射器から静脈注射用流体に医薬品を加えるためのコネクタにおいて、
（ａ）中空の円筒形本体であって、
（ｉ）医薬品を前記静脈注射用流体に加えるための、一方の端部上の第１のポート、
（ｉｉ）患者の静脈内に挿入されるカテーテルに接続するための、もう一方の端部上の第２のポート、および
（ｉｉｉ）静脈注射用流体供給源に取り付けるための、前記第１および第２のポートの中間にある第３のポートを有する、円筒形本体と、
（ｂ）前記第１のポートの開いた端部上のルアー接続部と、
（ｃ）前記第１のポート内に固定され、上部空洞および下部空洞を備える、弁ハウジングと、
（ｄ）前記上部空洞の上端部にある弁座と、
（ｅ）前記空洞間に確実に固定された弁棒と、
（ｆ）前記弁棒に取り付けられ、前記弁座に対して付勢される弾性ディスクとを備え、
（ｇ）前記弾性ディスクが、前記第１のポートを通って前記本体内に入る流体の力によって前記弁座から変位される、コネクタ。
【発明の詳細な説明】
【技術分野】
【０００１】
本発明は、静脈注射用溶液による患者内への液体導入に使用される、医療用コネクタに関する。より詳細には、本発明は、標準的なルアーロックタイプの接続部を有する注射器またはその他の装置と共に使用するための、無針接続部に関する。
【背景技術】
【０００２】
患者の静脈内に導入される医薬品を用いることは、患者の治療、特に緊急状態下で治療されなければならない患者の治療において、一般的な方法である。一般的に非経口流体と呼ばれる静脈注射用溶液は、チュービングおよび患者の静脈内に挿入されているカテーテルを通して、容器または静注バッグから供給される。カテーテルは、１片の接着テープによって患者に固定される。投与される医薬品は、一般に、チュービング内のＹコネクタを通して非経口流体に加えられる。従来の方法は、皮下注射器および針を用いて、チュービング内のＹコネクタ内の封止された入口ポートを通して流体を注入するものであった。一般に、ポートにおける封止部は、針が引き抜かれるときに、限られた使用回数にわたりそれ自体を再封止する、ジェネリックなラテックスの穿刺パッドである。
【０００３】
この従来の方法に伴う１つの問題は、封止されたポートから、針が非常に容易に引き抜かれることがあるということである。別の問題は、針刺しである。針をポート内に挿入しようとする看護士が、誤って針で自分自身を刺すことがある。針が新しく滅菌されている場合は、看護士への感染の危険性はほとんどないが、このプロセスは、針が交換されるまで遅らされることがある。Ｌｏｐｅｚらの米国特許第４，７５２，２９２号は、この問題に対する１つの解決法を呈示している。
【０００４】
Ｌｏｐｅｚらのコネクタは、針コネクタを、医薬品供給源に容易に取り付けることができることを推定する。計量された投与が必要な場合は、注射器がより頻繁に使用され、Ｌｏｐｅｚのコネクタは、非実用的となる。
【０００５】
別の解決法が、Ｈａｉｎｉｎｇによって、静注管上のＹコネクタ内にばね作動弁が配置される米国特許第５，７８５，６９３号において呈示されている。Ｈａｉｎｉｎｇの弁は、有用であるが、弁棒およびばねなど、汚染されることがあるいくつかの運動部品を有する。さらに、構成材料、特にばねの材料は、医療グレードの材料でなくてはならない。
【発明の開示】
【発明が解決しようとする課題】
【０００６】
本発明の目的は、静注システムのＹコネクタを通して医薬品を投与するための、単純化された弁を有する無針コネクタを提供することである。
【課題を解決するための手段】
【０００７】
本発明は、その最も単純な形態において、コネクタを備え、コネクタは、注射器を受けるようになされ、ポートを穿刺パッドの定位置に封止するための逆止め弁を有する。逆止め弁は、定位置に保持され、逆止め弁材料の引張応力によって付勢され閉じられる、弾性ディスクを備える。雄ルアーコネクタを有する注射器またはその他の装置が、コネクタと係合し、流体圧力が逆止め弁に加えられると、弾性ディスクが変形され、それによって、医薬品がコネクタを通ってチュービング内に、したがって患者に流れることが可能になる。本発明は、流体を静脈注射用溶液に加えるためのコネクタとして説明することができ、（ａ）弁座を上端部に有する上部空洞、および下部空洞を有する、円筒形本体と、（ｂ）前記空洞間に確実に固定される弁棒と、（ｃ）前記弁棒に取り付けられ、前記弁座に対して付勢される弾性ディスクとを備え、（ｄ）前記弾性ディスクが、前記第１のポートを通って前記本体内に入る流体の力によって前記弁座から変位される。
【発明を実施するための最良の形態】
【０００８】
好ましい実施形態を詳細に説明するために、読者は、参照を容易にするために同様の構成要素が同様の番号を与えられる、添付の図面に導かれる。
まず図１を参照すると、静脈内流体投与システムが示されている。第１の管６Ａが、一方の端部によって非経口溶液（図示せず）の供給源に、反対側端部によってＹコネクタ１に取り付けられる。第２の管６Ｂは、第１の端部にＹコネクタの下方端部に接続され、下方端部に、静脈内カテーテル（図示せず）に接続される。流体は重力流によって投与されるので、上、下、上方、下方の方向は、明確な意味を有する。
【０００９】
図示のＹコネクタは、３つの接続点またはポートを有する。第１のポート２０は、注射器５から注入される医薬品を受けるためのものであり、注入された流体が重力でＹコネクタおよび管６Ｂ内に流れることが可能になるように、水平より上方に角度付けされるべきである。第２のポート２５は、カテーテル管６Ｂの端部に接続される。第３の接続ポート２４は、非経口流体管６Ａに接続するためのものである。第１のポート２は、垂直線からまたは第３のポート２４から９０°未満となるように、Ｙコネクタ１からある角度で延びる。
【００１０】
穿刺パッドは通常、Ｙコネクタへの再封止可能なアクセスを提供する。穿刺パッドの機能に置き換わるために、コネクタ１内に弁が形成される。この詳細を、図２〜図８に示す。
【００１１】
次に図３〜図８を参照すると、弁を備えるポート２０の構成が示されている。弁は、２６にＹコネクタ１上にぴったりと嵌まり適切なセメントによってそこに固定される、円筒形ハウジング２を備える。弁は、流れ開口１１を有するスパイダ２７によって、上部空洞２１および下部空洞２２に分割される。上部空洞２１の開口付近に、弁座２３がある。弁棒３は、スパイダ２７内に確実に取り付けられ、維持ノッチ７によって定位置に保持される。弁棒３は、空洞２１および２２内に延びる。弁棒３の上端部に、弁を封止するために弁座２３に接触する面１０を有する、弾性ディスク１３がある。ポートの上端部は、弁体積８を画成し雄ルアーコネクタ９を上方頂部に有する、筒４を備える。
【００１２】
次に図６〜図８を参照すると、図示の注射器５は、Ｙコネクタ１のポート２０に接続されている。注射器５は、流体チャンバ１８を画成する筒１５を備える。プランジャ１６は、筒１５内に配置され、プランジャ封止部１７を備える。注射器内のねじ山１４は、筒の上方端部上でルアー接続部９に係合し、注射器上のルアー延長部１９は、弁体積８を実質的に満たすように、下向きに押される。これによって、流体を最大限に輸送することが可能になり、アクセスポート２０内に残留する流体が最小限となる。プランジャ１５が押下されるとき、流体が流体チャンバ１８から弁内に押され、弾性ディスク１３が弁座２３から離れて変形され、流体が流路１２を進むことが可能になる。流体の流れは、矢印によって追うことができる。流体の流れが停止されると、いかなる逆圧も、弾性ディスク１３を弁座２３に対して押し戻し、接続部を封止する。
【００１３】
本発明の上記説明は、説明および例示の目的で、本発明の特定の好ましい実施形態を対象としてきた。本発明の範囲および精神から逸脱することなく、装置における多くの修正および変更を加えることができることが、当業者には明らかであろう。したがって、添付の特許請求の範囲は、すべての均等物の修正および変更を、特許請求の範囲によって規定されるような本発明の範囲内に包含されるものとして網羅することが意図される。
【図面の簡単な説明】
【００１４】
【図１】従来の静注システム、ならびに本発明のアダプタコネクタ、および注射器を示す概略図である。
【図２】図１の分解図である。
【図３】本発明のコネクタを示す側面図である。
【図４】図３の線４−４に沿った断面図である。
【図５】図４において円で囲んだ領域を示す拡大図である。
【図６】注射器が取り付けられた本発明のコネクタを示す側面図である。
【図７】図６の線７−７に沿った断面図である。
【図８】図７において円で囲んだ領域を示す拡大図である。
【図１】
2008517707.tif 000003
【図２】
2008517707.tif 000004
【図３】
2008517707.tif 000005
【図４】
2008517707.tif 000006
【図５】
2008517707.tif 000007
【図６】
2008517707.tif 000008
【図７】
2008517707.tif 000009
【図８】
2008517707.tif 000010
【国際調査報告】
2008517707.tif 000011